(57)【要約】【課題】ガイドメロディを利用するカラオケ歌唱において、一の画面に表示された最後のガイドメロディ画像に対する歌唱評価及び次に参照すべきガイドメロディ画像の双方を把握し易くするためのカラオケ装置を提供する。【解決手段】楽曲のカラオケ歌唱をガイドするためのガイドメロディデータに基づいて、当該楽曲の音高の時間的な変化を示すガイドメロディ画像を音符毎に表示させる表示制御部を有するカラオケ装置であって、前記表示制御部は、前記カラオケ歌唱に応じて前記ガイドメロディ画像毎に表示態様を変化させ、第１のフレーズに含まれる各音符に対応する第１のガイドメロディ画像が表示されている表示画面に、前記第１のフレーズの次のフレーズに相当する第２のフレーズに含まれる各音符に対応する第２のガイドメロディ画像を順番にフェードインさせるカラオケ装置。【選択図】図４Ｄ
2018059975.tif 000002
【特許請求の範囲】
【請求項１】
楽曲のカラオケ歌唱をガイドするためのガイドメロディデータに基づいて、当該楽曲の音高の時間的な変化を示すガイドメロディ画像を音符毎に表示させる表示制御部を有するカラオケ装置であって、
前記表示制御部は、
前記カラオケ歌唱に応じて前記ガイドメロディ画像毎に表示態様を変化させ、
第１のフレーズに含まれる各音符に対応する第１のガイドメロディ画像が表示されている表示画面に、前記第１のフレーズの次のフレーズに相当する第２のフレーズに含まれる各音符に対応する第２のガイドメロディ画像を順番にフェードインさせるカラオケ装置。
【請求項２】
前記表示制御部は、
前記ガイドメロディ画像上を移動するカーソルを前記ガイドメロディ画像上に重ねて表示させ、
前記カーソルが前記第１のガイドメロディ画像の所定の位置に達したら前記第１のガイドメロディ画像を順番にフェードアウトを開始させ、
前記カーソルが前記第２のガイドメロディ画像の所定の位置に達するまでに前記第１のガイドメロディ画像全てのフェードアウトを完了させることを特徴とする請求項１記載のカラオケ装置。
【請求項３】
前記表示制御部は、
前記フェードアウトの開始から完了までの時間が所定時間を越える場合、当該所定時間で前記第１のガイドメロディ画像のフェードアウトを完了させることを特徴とする請求項２記載のカラオケ装置。
【請求項４】
前記表示制御部は、
前記フェードアウトが完了するまで、前記フェードインは前記フェードアウトと一定の距離で進行させ、
前記カーソルが前記第１のフレーズに含まれる最後の音符に対応する前記第１のガイドメロディ画像から前記第２のフレーズに含まれる最初の音符に対応する前記第２のガイドメロディ画像に移動した際に、前記第２のガイドメロディ画像のフェードインが完了した時点での前記カーソルの位置が前記第２のガイドメロディ画像の所定の位置を越えると判断される場合、前記カーソルが前記第２のガイドメロディ画像上の所定の位置に達するまでに前記第２のガイドメロディ画像全てのフェードインを完了させることを特徴とする請求項３記載のカラオケ装置。
【請求項５】
楽曲のカラオケ歌唱をガイドするためのガイドメロディデータに基づいて、当該楽曲の音高の時間的な変化を示すガイドメロディ画像を音符毎に表示させるとともに、カラオケ歌唱に応じてガイドメロディ画像の表示態様を変化させる表示制御部を有するカラオケ装置であって、
前記表示制御部は、
表示画面に表示された、第１のフレーズに含まれる最後の音符に対応する第１のガイドメロディ画像をその表示態様が変化した状態で表示させるより前に、前記第１のフレーズの次のフレーズに相当する第２のフレーズに含まれる各音符に対応する第２のガイドメロディ画像を順番にフェードインさせるカラオケ装置。
【請求項６】
楽曲のカラオケ歌唱をガイドするためのガイドメロディデータに基づいて、当該楽曲の音高の時間的な変化を示すガイドメロディ画像を音符毎に表示させる表示制御部を有するカラオケ装置であって、
前記表示制御部は、
表示画面に表示された、第１のフレーズに含まれる最後の音符に対応する第１のガイドメロディ画像をその表示態様が変化した状態で表示させ、且つ前記第１のフレーズの次のフレーズに相当する第２のフレーズに含まれる最初の音符に対応する第２のガイドメロディ画像を同じ表示画面に表示させるカラオケ装置。
【発明の詳細な説明】
【技術分野】
【０００１】
本発明はカラオケ装置に関する。
【背景技術】
【０００２】
カラオケ装置においては、歌唱者のカラオケ歌唱を支援するために、カラオケ楽曲のメロディをガイドする方法がある。たとえば、カラオケ演奏の進行に伴ってガイドメロディデータに基づくガイドメロディを演奏するカラオケ装置がある。歌唱者は、ガイドメロディを参照しながら歌唱することにより、サビしか知らない楽曲等であってもカラオケ歌唱を楽しむことができる。
【０００３】
また、ガイドメロディデータを画像化（ガイドメロディ画像）し、カラオケ装置の表示画面に表示させる技術がある。ガイドメロディ画像は、たとえば、ガイドメロディデータに含まれる音符毎に棒状の図形としてカラオケ装置の表示画面に表示される（図６参照）。このような棒状の図形において、縦方向の位置は音高を示し、横方向の位置は発音するタイミングを示し、横方向の長さは音の長さを示している。このようにガイドメロディを画像として提供することにより、歌唱者は視覚的にガイドメロディを把握できる。
【０００４】
また、特許文献１には、カラオケ歌唱の採点結果に基づいて、表示されたガイドメロディ画像の表示態様（色）を変えることができるカラオケ装置が開示されている。このようなカラオケ装置によれば、歌唱者は自己のカラオケ歌唱の評価を容易に把握することができる。
【０００５】
更には、ガイドメロディ画像と、自己の歌唱音声に基づいて描かれる歌唱軌跡とを重ね合わせることにより、ガイドメロディに沿って歌唱ができているかを視認可能なカラオケ装置も存在する（非特許文献１参照）。このカラオケ装置は、歌唱技法（しゃくり、ビブラート、フォール等）が検知された場合には、ガイドメロディ画像上に対応する技法のアイコンを表示させることもできる。このようなカラオケ装置によっても、歌唱者は自己のカラオケ歌唱の評価を容易に把握することができる。
【先行技術文献】
【特許文献】
【０００６】
【特許文献１】特開２００４−２０５８１７号公報
【非特許文献】
【０００７】
【非特許文献１】“精密採点ＩＩ”、［ｏｎｌｉｎｅ］、株式会社第一興商、［平成２８年９月１４日検索］、インターネット＜ＵＲＬ：https://www.clubdam.com/app/damStation/page.do?type=damstation&source=seimitsusaiten2&subType=dscontents＞
【発明の概要】
【発明が解決しようとする課題】
【０００８】
ところで、ガイドメロディ画像を表示させる場合、ガイドメロディデータをフレーズ毎に分割し、一の画面には一のフレーズに含まれる音符に対応するガイドメロディ画像が表示されるようにすることが一般的である。そして、一のフレーズの演奏が終了すると、当該フレーズのガイドメロディ画像が表示された画面から、次のフレーズのガイドメロディ画像が表示された画面に切り替えられる。
【０００９】
ここで、上記のようにフレーズ毎に画面を切り替える場合に、たとえば非特許文献１の歌唱軌跡を表示させると、一の画面に表示された最後のガイドメロディ画像に対応する歌唱軌跡の全てが表示されることなく（或いは全てが表示された瞬間に）次の画面に切り替わってしまう。従って、歌唱者は、最後のガイドメロディ画像に対する歌唱評価を確認し難いという問題がある。一方で、最後のガイドメロディ画像の歌唱軌跡を全て表示させてしまうと、次に参照すべきガイドメロディ画像の表示が遅れる結果、カラオケ歌唱を行い難くなるという問題がある。
【００１０】
本発明の目的は、ガイドメロディを利用するカラオケ歌唱において、一の画面に表示された最後のガイドメロディ画像に対する歌唱評価及び次に参照すべきガイドメロディ画像の双方を把握し易くするためのカラオケ装置を提供することにある。
【課題を解決するための手段】
【００１１】
上記目的を達成するための主たる発明は、楽曲のカラオケ歌唱をガイドするためのガイドメロディデータに基づいて、当該楽曲の音高の時間的な変化を示すガイドメロディ画像を音符毎に表示させる表示制御部を有するカラオケ装置であって、前記表示制御部は、前記カラオケ歌唱に応じて前記ガイドメロディ画像毎に表示態様を変化させ、第１のフレーズに含まれる各音符に対応する第１のガイドメロディ画像が表示されている表示画面に、前記第１のフレーズの次のフレーズに相当する第２のフレーズに含まれる各音符に対応する第２のガイドメロディ画像を順番にフェードインさせるカラオケ装置である。
本発明の他の特徴については、後述する明細書及び図面の記載により明らかにする。
【発明の効果】
【００１２】
本発明によれば、ガイドメロディを利用するカラオケ歌唱において、一の画面に表示された最後のガイドメロディ画像に対する歌唱評価及び次に参照すべきガイドメロディ画像の双方を把握し易くできる。
【図面の簡単な説明】
【００１３】
【図１】実施形態に係るカラオケ装置のハードウェア構成例を示す図である。
【図２】実施形態に係る装置本体のハードウェア構成例を示す図である。
【図３】実施形態に係る装置本体のソフトウェア構成例を示す図である。
【図４Ａ】実施形態に係るカラオケ装置の表示画面を示す図である。
【図４Ｂ】実施形態に係るカラオケ装置の表示画面を示す図である。
【図４Ｃ】実施形態に係るカラオケ装置の表示画面を示す図である。
【図４Ｄ】実施形態に係るカラオケ装置の表示画面を示す図である。
【図４Ｅ】実施形態に係るカラオケ装置の表示画面を示す図である。
【図５】実施形態に係るカラオケ装置の表示画面の別例を示す図である。
【図６】一般的なガイドメロディ画像の例を示す図である。
【発明を実施するための形態】
【００１４】
後述する明細書及び図面の記載から、上記の主たる発明の他、少なくとも以下の事項が明らかとなる。
【００１５】
すなわち、前記表示制御部が、前記ガイドメロディ画像上を移動するカーソルを前記ガイドメロディ画像上に重ねて表示させ、前記カーソルが前記第１のガイドメロディ画像の所定の位置に達したら前記第１のガイドメロディ画像を順番にフェードアウトを開始させ、前記カーソルが前記第２のガイドメロディ画像の所定の位置に達するまでに前記第１のガイドメロディ画像全てのフェードアウトを完了させるカラオケ装置が明らかとなる。このようなカラオケ装置によれば、既に歌唱が済んでいる音符に対応するガイドメロディ画像（カーソルが通過したガイドメロディ画像）について順番に消去できる。
【００１６】
また、前記表示制御部は、前記フェードアウトの開始から完了までの時間が所定時間を越える場合、当該所定時間で前記第１のガイドメロディ画像のフェードアウトを完了させるカラオケ装置が明らかとなる。このようなカラオケ装置によれば、所定時間内にガイドメロディ画像のフェードアウトが完了するため、ガイドメロディ画像を参照する歌唱者の違和感を低減できる。
【００１７】
また、前記表示制御部が、前記フェードアウトが完了するまで、前記フェードインは前記フェードアウトと一定の距離で進行させ、前記カーソルが前記第１のフレーズに含まれる最後の音符に対応する前記第１のガイドメロディ画像から前記第２のフレーズに含まれる最初の音符に対応する前記第２のガイドメロディ画像に移動した際に、前記第２のガイドメロディ画像のフェードインが完了した時点での前記カーソルの位置が前記第２のガイドメロディ画像の所定の位置を越えると判断される場合、前記カーソルが前記第２のガイドメロディ画像上の所定の位置に達するまでに前記第２のガイドメロディ画像全てのフェードインを完了させるカラオケ装置が明らかとなる。このようなカラオケ装置によれば、フェードインされるガイドメロディ画像よりも先にカーソルが移動することがない。
【００１８】
更に、楽曲のカラオケ歌唱をガイドするためのガイドメロディデータに基づいて、当該楽曲の音高の時間的な変化を示すガイドメロディ画像を音符毎に表示させるとともに、カラオケ歌唱に応じてガイドメロディ画像の表示態様を変化させる表示制御部を有するカラオケ装置であって、前記表示制御部が、表示画面に表示された、第１のフレーズに含まれる最後の音符に対応する第１のガイドメロディ画像をその表示態様が変化した状態で表示させるより前に、前記第１のフレーズの次のフレーズに相当する第２のフレーズに含まれる各音符に対応する第２のガイドメロディ画像を順番にフェードインさせるカラオケ装置が明らかとなる。
或いは、楽曲のカラオケ歌唱をガイドするためのガイドメロディデータに基づいて、当該楽曲の音高の時間的な変化を示すガイドメロディ画像を音符毎に表示させる表示制御部を有するカラオケ装置であって、前記表示制御部が、表示画面に表示された、第１のフレーズに含まれる最後の音符に対応する第１のガイドメロディ画像をその表示態様が変化した状態で表示させ、且つ前記第１のフレーズの次のフレーズに相当する第２のフレーズに含まれる最初の音符に対応する第２のガイドメロディ画像を同じ表示画面に表示させるカラオケ装置が明らかとなる。これらのカラオケ装置によれば、ガイドメロディを利用するカラオケ歌唱において、一の画面に表示された最後のガイドメロディ画像に対する歌唱評価及び次に参照すべきガイドメロディ画像の双方を把握し易くできる。
【００１９】
＜実施形態＞
図１〜図５を参照して、本実施形態に係るカラオケ装置１について説明する。
【００２０】
＝＝カラオケ装置＝＝
（ハードウェア構成）
カラオケ装置１は、歌唱者が選曲した楽曲のカラオケ演奏及び歌唱者がカラオケ歌唱を行うための装置である。図１に示すように、カラオケ装置１は、カラオケ本体１０、スピーカ２０、表示装置３０、マイク４０、及びリモコン装置５０を備える。
【００２１】
カラオケ本体１０は、予約登録されたカラオケ楽曲の演奏制御、歌詞や背景映像等の表示制御、マイク４０を通じて入力された音声信号の処理といった、カラオケ歌唱に関する各種の制御を行う。図２はカラオケ本体１０のハードウェア構成例を示す図である。カラオケ本体１０は、制御部１１、通信部１２、記憶部１３、音響処理部１４、表示処理部１５及び操作部１６を備える。各構成はインターフェース（図示なし）を介してバスＢに接続されている。
【００２２】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２３】
通信部１２は、ルーター（図示なし）を介してカラオケ装置１を外部のサーバ（図示なし）等に接続するためのインターフェースを提供する。
【００２４】
記憶部１３は、各種のデータを記憶する大容量の記憶装置である。記憶部１３は、カラオケ装置１によりカラオケ演奏を行うための楽曲データを記憶する。楽曲データは、楽曲毎に所定のＩＤ（楽曲ＩＤ）が付与されている。楽曲データは、ＭＩＤＩデータ、リファレンスデータ等が含まれる。リファレンスデータは、楽曲を構成する各音符の音高及び音長を表す時系列の情報によって構成されている。また、記憶部１３は、カラオケ楽曲に対応する歌詞テロップを表示装置３０等に表示させるための歌詞テロップデータ、及びカラオケ演奏時に表示装置３０等に表示される背景画像等の背景画像データを記憶する。
【００２５】
本実施形態において、記憶部１３はガイドメロディデータを記憶する。ガイドメロディデータは、カラオケ歌唱をガイドするためのガイドメロディを生成するためのデータであり、ガイドメロディを構成する各音符の音高、音長を表す時系列の情報等によって構成されている。ガイドメロディデータは楽曲毎に設定されている。なお、ガイドメロディデータをリファレンスデータとして使用することも可能である。
【００２６】
音響処理部１４は、制御部１１の制御に基づき、カラオケ楽曲に対する演奏の制御およびマイク４０を通じて入力された音声信号の処理を行う。
【００２７】
表示処理部１５は、制御部１１の制御に基づき、表示装置３０における各種表示に関する処理を行う。たとえば、表示処理部１５は、カラオケ演奏時における背景映像に歌詞テロップや各種アイコンが重ねられた映像を表示装置３０に表示させる。また、本実施形態に係る表示処理部１５は、制御部１１の制御に基づいて、カラオケ演奏に伴い表示装置３０にガイドメロディ画像（後述）を表示させる。
【００２８】
操作部１６は、パネルスイッチおよびリモコン受信回路などからなり、歌唱者によるカラオケ装置１のパネルスイッチあるいはリモコン装置５０の操作に応じて予約信号、演奏中止信号などの操作信号を制御部１１に対して出力する。制御部１１は、操作部１６からの操作信号を検出し、対応する処理を実行する。
【００２９】
スピーカ２０は、カラオケ本体１０からの放音信号に基づいて放音するための構成である。表示装置３０はカラオケ本体１０からの信号に基づいて映像や画像を画面に表示するための構成である。マイク４０は入力される歌唱者の声（歌唱音声）等をアナログの音声信号に変換してカラオケ本体１０に入力するための構成である。
【００３０】
リモコン装置５０は、カラオケ本体１０に対する各種操作をおこなうための装置である。歌唱者はリモコン装置５０を用いて楽曲の予約等を行うことができる。リモコン装置５０のディスプレイには各種操作の指示入力を行うためのＧＵＩが表示される。
【００３１】
（カラオケ本体のソフトウェア構成）
図３はカラオケ本体１０のソフトウェア構成例を示す図である。カラオケ本体１０は、歌唱評価部１００及び表示制御部２００を備える。歌唱評価部１００及び表示制御部２００は、ＣＰＵ１１ａがメモリ１１ｂに記憶されるプログラムを実行することにより実現される。
【００３２】
［歌唱評価部］
歌唱評価部１００は、カラオケ歌唱の巧拙や歌唱技法の有無等、歌唱者のカラオケ歌唱に応じた各種の評価を行う。歌唱評価部１００における処理に関しては従来技術を用いることが可能である。たとえば、歌唱評価部１００は、歌唱音声データの音高及び音長とガイドメロディデータの音高及び音長とを音符毎に比較し、音符毎の音高及び音長のずれ量を求めることができる。また、歌唱評価部１００は、歌唱音声データとリファレンスデータを比較し、その差分に基づいて歌唱区間毎の採点値を求めることができる。或いは、歌唱評価部１００は、歌唱音声データに基づいて、歌唱技法の有無、歌唱技法の種類及び歌唱技法が用いられたタイミングを検知することができる。これらの結果は表示制御部２００に出力される。
【００３３】
［表示制御部］
表示制御部２００は、カラオケ装置１における各種表示制御を行う。本実施形態に係る表示制御部２００は、（１）ガイドメロディ画像の表示制御、（２）ガイドメロディ画像の表示態様の制御、（３）表示されたガイドメロディ画像のフェードアウト制御、（４）最後の音符に対応する第１のガイドメロディ画像の表示制御、（５）第２のガイドメロディ画像のフェードイン制御を行う。以下、これらの制御について詳述する。図４Ａ〜図４Ｅは、表示装置３０の表示画面を示す。図４Ａは、カラオケ演奏を開始する前の表示画面である。図４Ｂ及び図４Ｃは、一のフレーズの途中までカラオケ演奏が進行した時点の表示画面である。図４Ｄは、一のフレーズのカラオケ演奏が終了した時点の表示画面である。図４Ｅは、次のフレーズのカラオケ演奏が開始された時点での表示画面である。なお、図４Ａ〜図４Ｅでは、ガイドメロディ画像のみを示しているが、歌詞テロップデータに基づく歌詞や背景画像をガイドメロディ画像と併せて表示させることも可能である。
【００３４】
（１）ガイドメロディ画像の表示制御
表示制御部２００は、楽曲のカラオケ歌唱をガイドするためのガイドメロディデータに基づいて、当該楽曲の音高の時間的な変化を示すガイドメロディ画像を音符毎に表示させる。
【００３５】
表示制御部２００は、たとえば楽曲Ｘが選曲された場合、楽曲Ｘのガイドメロディデータを記憶部１３から読み出して、フレーズ毎に分割する。そして、表示制御部２００は、各フレーズに含まれる音符毎に、ガイドメロディデータから音高、発音タイミング、発音時間を特定し、各音符に対応するガイドメロディ画像Ｚｎ（ｎは音符の順番を示す自然数）を作成する。表示制御部２００は、カラオケ演奏を開始する際に最初のフレーズ（第１のフレーズ）に含まれる音符のガイドメロディ画像Ｚ１〜ガイドメロディ画像Ｚ４（第１のガイドメロディ画像）を表示装置３０に表示させる（図４Ａ参照）。また、表示制御部２００は、ガイドメロディ画像上に重ねて表示され、カラオケ演奏の進行に伴ってガイドメロディ画像上を移動するカーソルＣを表示させる（図４Ａ参照）。図４Ａにおけるガイドメロディ画像Ｚ４は「第１のフレーズに含まれる最後の音符に対応する第１のガイドメロディ画像」に相当する。なお、第１のフレーズの次のフレーズ（第２のフレーズ）には、４つの音符が含まれており、それぞれに対応するメロディ画像Ｚ５〜メロディ画像Ｚ８（第２のガイドメロディ画像）があるとする。このメロディ画像Ｚ５は、「第２のフレーズに含まれる最初の音符に対応する第２のガイドメロディ画像」に相当する。
【００３６】
（２）ガイドメロディ画像の表示態様の制御
表示制御部２００は、カラオケ歌唱に応じてガイドメロディ画像毎に表示態様を変化させる。
【００３７】
楽曲Ｘのカラオケ演奏が開始されると、表示制御部２００は、カラオケ演奏の進行に伴ってカーソルＣを表示画面の左側から右側に移動させる。歌唱者は、カーソルＣで現在の演奏位置を把握しながら、ガイドメロディ画像を参照してカラオケ歌唱を行う。そして、歌唱評価部１００は、カラオケ歌唱に応じた各種の評価を行う。
【００３８】
たとえば、歌唱評価部１００から音高及び音長のずれに関する評価結果（ずれの有無、及びずれ量）が出力された場合、表示制御部２００は、その結果に基づいて各ガイドメロディ画像に対する音高及び音長を、歌唱軌跡Ｔｎ（ｎは歌唱軌跡の順番を示す自然数）を用いて表示させる。たとえば、ガイドメロディ画像Ｚ１の音符について、音高にずれが無いが音長にずれがある（短い）という評価結果が入力された場合、表示制御部２００は、ガイドメロディ画像Ｚ１に対して、少し短い歌唱軌跡Ｔ１を重ねて表示させる（図４Ｂ参照。ガイドメロディ画像と歌唱軌跡が重なっている部分を斜線で示す）。一方、ガイドメロディ画像Ｚ２の音符について、音長にずれはないが、音高にずれがあるという評価結果が入力された場合、表示制御部２００は、歌唱軌跡Ｔ２をガイドメロディ画像Ｚ２に対してずらして表示させる（図４Ｂ参照）。歌唱軌跡をずらす程度は、歌唱評価部１００で求められたずれ量に基づく。
【００３９】
或いは、歌唱評価部１００から歌唱技法に関する評価結果（歌唱技法の種類、及びそのタイミング）が出力された場合、表示制御部２００は、その結果に基づいて各ガイドメロディ画像に対して歌唱技法を示すアイコンを表示させる。たとえば、歌唱判定部１００がガイドメロディ画像Ｚ３に相当する音符を歌唱する際にビブラートの技法を検知した場合、表示制御部２００は、ガイドメロディ画像Ｚ３の対応する位置にビブラートを示すアイコンＶを表示させる（図４Ｂ参照）。あるガイドメロディ画像について、対応する歌唱軌跡を表示させることや、歌唱技法のアイコンを表示させることは、「（ガイドメロディ画像の）表示態様を変化させる」ことの一例である。
【００４０】
（３）表示されたガイドメロディ画像のフェードアウト制御
表示制御部２００は、ガイドメロディ画像を順番にフェードアウトさせる。
【００４１】
各フレーズに含まれる音符に対応するガイドメロディ画像を順番に表示させるにあたっては、それよりも前に表示されたガイドメロディ画像をカラオケ演奏の進行に伴って順番にフェードアウトさせる必要がある。そこで、表示制御部２００は、カラオケ演奏の進行に伴い、カーソルＣが第１のフレーズにおけるガイドメロディ画像の所定の位置に達したら（たとえば、第１のフレーズにおける最後の音符に対応するガイドメロディ画像Ｚ４の開始位置にカーソルＣが位置した時点で）、最初に表示されたガイドメロディ画像Ｚ１をフェードアウトさせる（図４Ｃ参照。破線で示した部分がフェードアウトした部分に相当する）。一のガイドメロディ画像が完全にフェードアウトすることにより、次のフレーズに含まれる音符に対応するガイドメロディ画像（この例ではガイドメロディ画像Ｚ５）を表示させることができる。
【００４２】
また、表示制御部２００は、カーソルＣが第２のフレーズにおけるガイドメロディ画像の所定の位置に達するまでに第１のガイドメロディ画像全てのフェードアウトを完了させる。たとえば、表示制御部２００は、ガイドメロディ画像Ｚ７の終了位置に達するまでに第１のフレーズに含まれるガイドメロディ画像Ｚ１〜ガイドメロディ画像Ｚ４のフェードアウトを完了させる。
【００４３】
なお、フェードアウトを開始する位置及びフェードアウトを完了させる位置は任意に設定することができる。また、この位置は、特定のガイドメロディ画像の開始位置・終了位置だけでなく、ガイドメロディ画像の途中（たとえば、フェードアウトを開始する位置があるフレーズに含まれるガイドメロディ画像全体の８５％の位置、あるいはフェードアウトを完了させる位置があるフレーズに含まれるガイドメロディ画像全体の１０％の位置）であってもよい。但し、第１のフレーズに含まれる最後の音符に対応する第１のガイドメロディ画像（上記例では、ガイドメロディ画像Ｚ４）のフェードアウトは、歌唱評価が十分に確認できる状態となった後に行われる。
【００４４】
（４）最後の音符に対応する第１のガイドメロディ画像の表示制御
表示制御部２００は、表示画面に表示された、第１のフレーズに含まれる最後の音符に対応する第１のガイドメロディ画像を、その表示態様が変化した状態で表示させる。
【００４５】
たとえば、ガイドメロディ画像Ｚ４に相当する音符（最後の音符）について音高及び音長のいずれにもずれが無いという評価結果が入力された場合、表示制御部２００は、歌唱軌跡Ｔ４をガイドメロディ画像Ｚ４に重ねて表示させると共に、ガイドメロディ画像Ｚ４の最後に所定のアイコンを表示させる（図４Ｄ参照。ガイドメロディ画像と歌唱軌跡が重なっている部分を斜線で示す）。所定のアイコンは図４Ｄに示した星印アイコンのような図形であってもよいし、採点結果に基づいたメッセージ（たとえば「Ｖｅｒｙ  ｇｏｏｄ」「Ｇｏｏｄ」、「Ｂａｄ」）であってもよいし、採点値そのもの（たとえば「８０点」）であってもよい。あるガイドメロディ画像について所定のアイコンを表示させることは、「表示態様を変化させる」ことの一例である。
【００４６】
（５）第２のガイドメロディ画像のフェードイン制御
ここで、図４Ｄの状態においては最初のフレーズのカラオケ演奏が全て終了しているため、次のフレーズのガイドメロディ画像を表示させる必要がある。一方、従来のようにカラオケ演奏終了と同時に次のフレーズの画面に切り替えてしまったのでは、図４Ｄで表示したようなガイドメロディ画像Ｚ４の歌唱評価（歌唱軌跡Ｔ４や星印のアイコン）を十分に確認することができない。
【００４７】
そこで、表示制御部２００は、最後の音符が含まれるフレーズの次のフレーズに含まれる最初の音符に対応する第２のガイドメロディ画像を、表示態様が変化した状態の第１のガイドメロディ画像が表示されているうちに同じ表示画面にフェードインさせる。
【００４８】
この例において、表示制御部２００は、ガイドメロディ画像Ｚ４対する歌唱軌跡Ｔ４及び星印アイコンが表示された状態で同じ画面に、次のフレーズに含まれる最初の音符に対応するガイドメロディ画像Ｚ５をフェードインさせる（図４Ｄ参照。一点鎖線で示した部分がフェードインする部分に相当する）。この場合、ガイドメロディ画像Ｚ５が完全に表示された場合であっても、ガイドメロディ画像Ｚ４に対する歌唱軌跡Ｔ４及び星印アイコンを確認することができる（図４Ｅ参照）。図４Ｅの例においては、ガイドメロディ画像Ｚ３に対する歌唱軌跡Ｔ３及びビブラートアイコンＶも確認することができる。一方、カラオケ演奏の進行に伴って、ガイドメロディ画像Ｚ２はフェードアウトされている。そして、ガイドメロディ画像Ｚ２のフェードアウトに伴い、ガイドメロディ画像Ｚ５の次のガイドメロディ画像Ｚ６をフェードインさせることができる。
【００４９】
このように本実施形態に係るカラオケ装置１によれば、表示画面に表示された、第１のフレーズに含まれる最後の音符に対応する第１のガイドメロディ画像（ガイドメロディ画像Ｚ４）を、その表示態様が変化した状態で表示させることができる。従って、最後の音符に相当するカラオケ演奏の終了と同時に画面が切り替わり、ガイドメロディ画像Ｚ４に対する歌唱評価が確認できなくなるという問題が生じない。また、本実施形態に係るカラオケ装置１によれば、第１のフレーズの次のフレーズに相当する第２のフレーズに含まれる最初の音符に対応する第２のガイドメロディ画像（ガイドメロディ画像Ｚ５）を、第１のガイドメロディ画像が表示されているうちに同じ表示画面にフェードインさせることができる。従って、歌唱者は、第１のガイドメロディ画像の評価結果が表示されている場合であっても、その次のガイドメロディ（ガイドメロディ画像Ｚ５に相当するガイドメロディ）を容易に把握することができる。すなわち、本実施形態に係るカラオケ装置１によれば、ガイドメロディを利用する際、一の画面に表示された最後のガイドメロディ画像に対する歌唱評価及び次に参照すべきガイドメロディ画像の双方を把握し易くできる。
【００５０】
なお、表示制御部２００は、ガイドメロディ画像Ｚ４の表示態様が変化する前（表示態様が変化して表示される前に）にガイドメロディ画像Ｚ５のフェードインを開始（または完了）させることも可能である。たとえば、図５に示すように、カーソルＣがガイドメロディ画像Ｚ４上を完全に移動する前（ガイドメロディ画像Ｚ４に対する歌唱評価が表示される前）に、表示制御部２００は、ガイドメロディ画像Ｚ５の表示を開始させる（或いはガイドメロディ画像Ｚ５を完全に表示させる）。このような場合であっても、表示態様が変化したガイドメロディ画像Ｚ４は、ガイドメロディ画像Ｚ７の終わりの位置にカーソルＣが移動するまで表示されている。従って、歌唱者は、次に参照すべきガイドメロディ画像Ｚ５を把握でき、且つガイドメロディ画像Ｚ４に対する歌唱評価を把握することが可能となる。
【００５１】
また、ガイドメロディ画像Ｚ５のフェードインを開始するタイミングがガイドメロディ画像Ｚ４の表示態様が変化する前または変化した後のいずれであっても、ある時点においては、第１のフレーズに含まれる最後の音符に対応する第１のガイドメロディ画像（ガイドメロディ画像Ｚ４）の表示態様が変化した状態と、第２のフレーズに含まれる最初の音符に対応する第２のガイドメロディ画像（ガイドメロディ画像Ｚ５）とが、必ず同じ表示画面に表示される。
【００５２】
＜変形例＞
たとえば、上記実施形態において、第２のフレーズに含まれる最初の音符から最後の音符までの演奏時間が長い場合、当該音符に対応するガイドメロディ画像Ｚ５〜ガイドメロディ画像Ｚ８上を移動するカーソルＣの移動速度は遅くなる。従って、第１のフレーズに含まれるガイドメロディ画像のフェードアウトを完了させる位置（ガイドメロディ画像Ｚ７の終了位置）までカーソルＣが到達する時間が長くなる結果、フェードアウトの速度が極めて遅くなり、ガイドメロディ画像やカーソルを参照する歌唱者にとって煩わしさを感じさせることとなる。
【００５３】
そこで、表示制御部２００は、フェードアウトの開始から完了までの時間を計測し、当該時間が所定時間を越える場合、当該所定時間で第１のガイドメロディ画像のフェードアウトを完了させることが好ましい。所定時間は任意の値を予め設定することが可能である。
【００５４】
また、表示制御部２００は、フェードアウトが完了するまでフェードインをフェードアウトと一定の距離で進行させることがありうる。この場合、第１のフレーズに含まれる最初の音符から最後の音符までの演奏時間が長い場合（フェードインの速度が遅い場合）や、第２のフレーズに含まれる最初の音符から最後の音符までの演奏時間が短い場合（カーソルの移動速度が速い場合）、カーソルＣの移動速度がフェードインの速度を越えてしまい、カーソルＣがフェードインするガイドメロディ画像を追い越すことがありうる。
【００５５】
そこで、表示制御部２００は、カーソルＣが第１のフレーズに含まれる最後の音符に対応する第１のガイドメロディ画像から第２のフレーズに含まれる最初の音符に対応する第２のガイドメロディ画像に移動した時点で、第２のガイドメロディ画像のフェードインが完了した際のカーソルＣの位置が第２のガイドメロディ画像の所定の位置を越えると判断される場合、カーソルＣが第２のガイドメロディ画像上の所定の位置に達するまでに第２のガイドメロディ画像全てのフェードインを完了させる。
【００５６】
具体的には、表示制御部２００は、カーソルＣが第２のフレーズにおけるガイドメロディ画像Ｚ５に位置した時点で第２のフレーズにおけるガイドメロディ画像Ｚ８までのフェードインが完了する時刻を求める。表示制御部２００は、求めた時刻におけるカーソルＣの位置が所定の位置よりも先に進むと判断した場合、カーソルＣが所定の位置に達するまでにフェードインが完了するようにフェードインの速度を算出し、当該速度でフェードインの処理を実行する。所定の位置は各フレーズにおける任意の位置（たとえば、あるフレーズに含まれるガイドメロディ画像全体の２５％の位置）であり、予め設定することができる。
【００５７】
また、ガイドメロディ画像の表示態様の変化は、実施形態の例に限られない。たとえば、音高や音長のずれの程度によってガイドメロディ画像の色を変えるような場合も「表示態様の変化」に含まれる。
【００５８】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００５９】
１  カラオケ装置
３０  表示装置
１００  歌唱評価部
２００  表示制御部
【図１】
2018059975.tif 000003
【図２】
2018059975.tif 000004
【図３】
2018059975.tif 000005
【図４Ａ】
2018059975.tif 000006
【図４Ｂ】
2018059975.tif 000007
【図４Ｃ】
2018059975.tif 000008
【図４Ｄ】
2018059975.tif 000009
【図４Ｅ】
2018059975.tif 000010
【図５】
2018059975.tif 000011
【図６】
2018059975.tif 000012